(57)【要約】  本発明は、本体を有するパイロテクニック短絡回路装置（１００）に関し、本体は：パイロテクニック開始器（１１０）に連通している第１室（１２１）と；２つの導電性部品（１３１、１３２）が載った摺動部状の支持体（１４０）を収容する第２室（１２２）であって、支持体が筐体（１４２）を画定し、各導電性部品が変形可能な端部（１３１ｂ、１３２ｂ）を有する、第２室と；嵌合された導電性要素（１５４）を有するピストン（１５０）とを含み、パイロテクニック開始器は、導電性要素が端部から係合を解かれる第１の位置から、導電性要素が筐体に挿入されて各変形可能な端部に接触する第２の位置まで、ピストンを通過させるように構成され、変形可能な端部は、第２の位置において、変形されて筐体の定位置で導電性要素をブロックする役目をする保持力をはたらかせる。
2020502772.tif 000002
【特許請求の範囲】
【請求項１】
本体（１２０；４２０；５２０）を含むパイロテクニック短絡回路装置（１００；４００；５００）であって、本体は、
パイロテクニック開始器（１１０；４１０；５１０）の出口（Ｓ）に連通している加圧第１室（１２１；４２１；５２１）と、
互いに別個である２つの導電性部品（１３１、１３２；４３１、４３２；５３１、５３２）が載った支持体（１４０；４４０；５４０）を収容する第２室（１２２；４２２；５２２）であって、
支持体（１２２；４２２；５２２）が２つの導電性部品間で第２室内に開口する筐体（１４２；４４２；５４２）を画定し、
各導電性部品が、第２室に延在し、筐体に位置合わせされた変形可能な端部（１３１ｂ、１３２ｂ；４３１ｂ；４３２ｂ；５３１ｂ、５３２ｂ）を有し、
支持体が本体の外壁（１２６；４２６；５２６）における開口部（１２５；４２５；５２５）に係合される摺動構造を有する、第２室（１２２；４２２；５２２）と、
第１および第２室を分離するピストン（１５０；４５０；５５０）であって、ピストンに嵌合され、導電性部品の変形可能な端部と接触するように構成された導電性要素（１５４；４５４；５５４）を有する、ピストン（１５０；４５０；５５０）と
を有し、
パイロテクニック開始器は、導電性要素が端部から係合を解かれる第１の位置から、導電性要素が筐体に挿入されて各変形可能な端部に接触する第２の位置まで、ピストンを通過させるように構成され、変形可能な端部は、第２の位置において、変形されて筐体の定位置で導電性要素をブロックする役目をする保持力をはたらかせる、パイロテクニック短絡回路装置。
【請求項２】
ピストン（５５０）が導電性部品（５３１、５３２）に面している面（５５５）を有し、この面から、導電性部品に対して横方向に延在している浮き出し部（５５８）が突出し、導電性要素（５５４）は前記浮き出し部上に嵌合している、請求項１に記載の短絡回路装置（５００）。
【請求項３】
導電性要素（５５４）がＵ字形の断面を示す、請求項２に記載の短絡回路装置（５００）。
【請求項４】
各導電性部品の変形可能な端部（１３１ｂ、１３２ｂ）が、１つまたは複数の切目（１３１ｃ、１３２ｃ）を含む、請求項１に記載の短絡回路装置（１００；４００）。
【請求項５】
ピストン（１５０）が筐体（１４２）に面している裾部（１５３）を含み、前記裾部が、第２の位置にあるときに、筐体の底壁（１４４）から突出している浮き出し部（１４３）と協働している、請求項１から４のいずれか一項に記載の短絡回路装置（１００）。
【請求項６】
筐体の底壁から突出している浮き出し部（１４３）が、第２室から離れるにつれて増加する幅（Ｒ１、Ｒ２）を有する、請求項５に記載の短絡回路装置（１００）。
【請求項７】
導電性要素（１５４）が前記裾部（１５３）のまわりにある、請求項５または６に記載の短絡回路装置（１００）。
【請求項８】
導電性要素（１５４；４５４；５５４）が、第１の位置にあるときに、第２室（１２２；４２２；５２２）に面する、請求項１から７のいずれか一項に記載の短絡回路装置（１００；４００；５００）。
【請求項９】
各導電性部品の端部（１３１ｂ、１３２ｂ；４３１ｂ、４３２ｂ；５３１ｂ、５３２ｂ）が、第２の位置にあるときに、筐体（１４２；４４２；５４２）の内壁（１４９；４４９；５４９）と導電性要素（１５４；４５４；５５４）との間にクランプ留めされる、請求項１から８のいずれか一項に記載の短絡回路装置（１００；４００；５００）。
【請求項１０】
保護された電気回路（１０）であって、
発電機（Ｇ）と、
発電機に接続された電気装置（Ｄ）と、
短絡回路装置の第１導電性部品（１３１；４３１；５３１）が装置の第１端子（１１）に接続され、第２導電性部品（１３２；４３２；５３２）が電気回路の接地に接続されている、請求項１から９のいずれか一項に記載のパイロテクニック短絡回路装置（１００；４００；５００）とを含む、保護された電気回路（１０）。
【請求項１１】
請求項１０に記載の保護された電気回路（１０）を含む、設備（１）。
【発明の詳細な説明】
【技術分野】
【０００１】
本発明は、電気回路を閉じる装置、すなわち「短絡回路装置」の一般分野に関する。本発明は、より詳細には、例えば、パイロテクニック開始器にある起爆剤に点火することによってトリガされることに適しているパイロテクニック短絡回路装置に関する。
【背景技術】
【０００２】
知られているように、電気的設備の故障の場合、短絡回路装置は、短絡回路装置によって直ちに電気をそらすように、保護するべき装置または電気回路の一部を短絡させるために使用される。電池または蓄電池のような独立した電源を使用するたいていのオンボードの設備が、安全にされるために、一定の条件下で迅速に放電することを必要とするとき、本願が、そのような設備に適用される。例えば、このような装置は、事故の場合、電気的設備のいくつかの部分から電気エネルギーを散逸するように車において使用される。
【０００３】
知られているパイロテクニック短絡回路装置は、一般的に、トリガされると、導体要素によって２つの導電性部品を共に電気的に接続する役目をするパイロテクニック開始器を含む。それにもかかわらず、それらの装置は欠点を示す。一般的に、それらは、接触圧力および接触面積が、導体要素と高い電力で安全に使用することに十分である導電性部品との間に確立されることが可能ではない。さらに、トリガの速度および激しさのため、そのような装置において、導体要素は導電性部品上でバウンスする。このようなバウンスは、その後、電気アークを発生させ、回路を遮断する可能性があり、それによって装置、および装置が接続される回路の、信頼性、安全性、および寿命を低減する。
【０００４】
したがって、上述した欠点を示さないパイロテクニック短絡回路装置が必要とされている。
【発明の概要】
【課題を解決するための手段】
【０００５】
本発明の主要な目的は、パイロテクニック短絡回路装置を提案することによって、上述の欠点を軽減することであり、本パイロテクニック短絡回路は、本体を含み、本体は：
−  パイロテクニック開始器の出口に連通している加圧第１室と、
−  互いに別個である２つの導電性部品が載った支持体を収容する第２室であって、支持体が２つの導電性部品間で第２室内に開口する筐体を画定し、各導電性部品が、第２室に、筐体に位置合わせされて延在する変形可能な端部を有し、支持体が本体の外壁における開口部に係合された摺動構造を有する、第２室と、
−  第１および第２室を分離するピストンであって、ピストンに嵌合され、導電性部品の変形可能な端部と接触するように構成された導電性要素を有する、ピストンとを有し、
パイロテクニック開始器は、導電性要素が端部から係合を解かれる第１の位置から、導電性要素が筐体に挿入されて各変形可能な端部に接触する第２の位置まで、ピストンを通過させるように構成され、変形可能な端部は、第２の位置において、変形されて筐体の定位置で導電性要素をブロックする役目をする保持力をはたらかせる。
【０００６】
第１の位置は、電気が短絡回路装置を通過できない位置であってもよい。実施形態において、短絡回路装置は第２室に２つの導電性部品のみを有してもよい。
【０００７】
本発明の短絡回路装置は、導電性部品が、第２の位置に導電性要素を保持するために導電性要素に保持力をはたらかせることに適している変形可能な端部を有するという点においてすぐれている。具体的には、端部の変形の結果として、導電性要素を保持し、ブロックすることが可能である。「ブロックする」という用語は、導電性要素が、もはや動けない、特に、第１の位置に、もはや戻ることができないことを意味するために使用される。端部は、「変形可能」であると言われ、ピストンおよび／または導電性要素がパイロテクニック開始器がトリガされる結果として接触するときに、弾性的または可塑的に変形することに適していることを意味している。端部が弾性的に変形するとき、はたらく保持力は、変形可能な端部の弾性に起因してよい。さらに、保持力は、筐体およびピストンの寸法に起因し、筐体において力で導電性要素を「押し込む（ｗｅｄｇｅ）」ことに役立ってもよい。
【０００８】
この有利なプロビジョニングは、導電性部品上の導電性要素のあらゆるバウンスを防ぐことに役立ち、トリガ後に電気アークが形成され回路が遮断される危険性をかなり低減する。変形可能な端部の変形も、ピストンが第１の位置から第２の位置まで移動するとき、衝撃を減衰する役目をする。本発明の短絡回路装置はまた、ピストン上にある導電性要素と導電性部品の端部との間の接触圧力および接触面積を増加させることを可能にし、それによって、その使用は、当該の電力が高い分野にまで拡張することができる。
【０００９】
導電性要素がピストンに嵌合されるという事実によって、本発明の短絡回路装置は設計がより簡易となり、より安価になる。支持体の摺動構造によって、装置が容易に組み立てられることが可能となり、装置において導電性部品の保持が改善される。
【００１０】
実施形態において、ピストンは、導電性部品に面し、導電性部品に対して横方向に延在している浮き出し部が突出する面を有してもよく、導電性要素が前記浮き出し部に嵌合している。
【００１１】
実施形態において、浮き出し部は矩形の断面を示してもよい。
【００１２】
実施形態において、導電性要素はＵ字形の断面を示してもよい。
【００１３】
実施形態において、導電性要素は浮き出し部に全体的に沿って延在してもよい。実施形態において、導電性要素は浮き出し部の少なくとも半分にわたって延在してもよい。
【００１４】
実施形態において、各導電性部品の変形可能な端部は一つ以上の切目を含んでもよい。これらの切目は、有利には、変形可能な端部がより容易に変形する役目をする。
【００１５】
実施形態において、ピストンは、筐体に面している裾部を含んでもよく、前記裾部は、第２の位置にあるときに、筐体の底壁から突出している浮き出し部と協働する。裾部は、それで、第２室のほうに開口し、前記裾部の可撓性を増加させる役目をする切欠きまたはスロットを備えてもよい。浮き出し部と裾部との間の協働は、筐体における導電性要素の保持を改善し、ピストンが第１の位置から第２の位置まで通過するときのガイダンスを提供し、衝撃をより減衰させる役目もする。
【００１６】
実施形態において、筐体の底壁から突出している浮き出し部は、第２室から離れるにつれて増加する幅を有してもよい。この有利なプロビジョニングは、モールステーパーのように浮き出し部に裾部を係合させることに役立ち、それによって、第２の位置における導電性要素の保持をさらに改善し、衝撃減衰をさらに改善させる。
【００１７】
実施形態において、導電性要素は前記裾部のまわりにあってもよい。
【００１８】
実施形態において、導電性要素は、第１の位置にあるときに、第２室に面していてもよい。
【００１９】
短絡回路装置は、第１および第２室、支持体、およびピストンが設けられている本体を含み、本体は、おそらく、電気絶縁材料で作られている。
【００２０】
実施形態において、支持体は電気絶縁材料で作られてもよい。実施形態において、ピストンおよびピストン上の浮き出し部は電気絶縁材料で作られてもよい。
【００２１】
実施形態において、各導電性部品の端部は、第２の位置にあるときに、筐体の内壁と導電性要素との間にクランプ留めされてもよい。
【００２２】
本発明はまた、
−  発電機と、
−  発電機に接続された電気装置と、
−  短絡回路装置の第１導電性部品が電気装置の第１端子に接続され、第２導電性部品が電気回路の接地に接続されている、上述のパイロテクニック短絡回路装置とを含む、保護された電気回路も提供する。このような状況下では、第１導電性部品は第２導電性部品と異なる。
【００２３】
本発明はまた、このような保護された電気回路を含む電気設備も提供する。このような設備は自動車に設けられてもよい。
【００２４】
本発明の他の特徴および利点は、制限されない特徴を有する実施形態を示す添付図面を参照した以下の説明から明白である。
【図面の簡単な説明】
【００２５】
【図１Ａ】本発明の第１の実施形態における短絡回路装置の分解図である。
【図１Ｂ】本発明の第１の実施形態における短絡回路装置の分解図である。
【図２Ａ】トリガ前の図１Ａおよび図１Ｂの短絡回路装置の断面図である。
【図２Ｂ】トリガ時の図１Ａおよび図１Ｂの短絡回路装置の断面図である。
【図２Ｃ】トリガ後の図１Ａおよび図１Ｂの短絡回路装置の断面図である。
【図３Ａ】トリガ前の、本発明の第２の実施形態における短絡回路装置の図である。
【図３Ｂ】トリガ後の、本発明の第２の実施形態における短絡回路装置の図である。
【図４】本発明の第３の実施形態における短絡回路装置の断面図である。
【図５】本発明の第４の実施形態における短絡回路装置の断面図である。
【図６】本発明の短絡回路装置を使用することによって保護された電気回路を含む電気設備の例の図である。
【図７Ａ】本発明の別の実施形態における短絡回路装置の図である。
【図７Ｂ】本発明の別の実施形態における短絡回路装置の図である。
【図８Ａ】本発明の別の実施形態における短絡回路装置の図である。
【図８Ｂ】本発明の別の実施形態における短絡回路装置の図である。
【発明を実施するための形態】
【００２６】
本発明の第１の実施形態における短絡回路装置１００は図１Ａから図２Ｃを参照して説明する。短絡回路装置１００は、２つの導電体１１２を有する点火装置１１１を有するパイロテクニック開始器１１０を含む。パイロテクニック開始器１１０は起爆剤１１３も含む。起爆剤１１３は１つまたは複数の一体成形のブロック１１４の形状であってもよい。パイロテクニック開始器１１０は、短絡回路装置１００と電気回路１０との間の電気的および機械的インターフェースを提供する保持プラグ（または「保持器」）１１５も含む（図６参照）。変形例において、起爆剤１１３は粒子状であってもよい。特定の用途に使用する起爆剤の性質および寸法を選択することは当業者の一般的な知識の一部を形成する。
【００２７】
短絡回路装置１００は、その中に第１および第２室１２１および１２２が設けられる本体１２０を含む（図２Ａ）。例えば、本体１２０は熱可塑性または熱硬化性材料で作られていてもよく、電気絶縁性であってもよい。パイロテクニック開始器１１０は、本体１２０の内壁１２３に対して担持される弾性的に変形可能な材料で作られている封止ガスケット１１６を有する。図示された例において、点火装置１１１は本体１２０に収容されている。本体１２０は、２つの貫通チャネル（ｔｈｒｏｕｇｈ  ｃｈａｎｎｅｌｓ）１２４も備え、導電体１１２のそれぞれが別個のチャネル１２４に延在する。第１室１２１は加圧室を構成し、パイロテクニック開始器１１０の出口Ｓに連通している。パイロテクニック開始器１１０は、作動されると第１室１２１を加圧するように構成されている。図示された例において、起爆剤１１３は第１室１２１にある。しかし、起爆剤１１３が第１室１２１の外側にあったとしても、第１室がパイロテクニック開始器１１０の出口Ｓと連通したままであるならば、本発明の範囲を越えることはない。
【００２８】
本体１２０は、パイロテクニック開始器１１０がトリガされると電気的に共に接続される、２つの導電性部品１３１および１３２も収容する。図示された例において、導電性部品１３１および１３２は平らな舌状であってもよい。最初に（すなわち、短絡回路装置がトリガされる前）、２つの導電性部品１３１および１３２は互いから分離されている。短絡回路装置１００の状態がどのようなものであれ、導電性部品１３１および１３２は、ゼロではない距離で（以下に述べる軸Ｘに対して）横方向に互いから離隔されている。各導電性部品１３１および１３２は短絡回路装置１００の各側から延在し、それらは、短絡回路装置１００の外側に位置している、それらの端部１３１ａおよび１３２ａを介して、電気回路１０に接続される（図６）ためである。導電性部品１３１および１３２のそれぞれは、第２室１２２の内側にある変形可能な端部１３１ｂ、１３２ｂを備える。本例において、導電性端部１３１ｂおよび１３２ｂは円弧の形状であり、円の中心は軸Ｘ上で第２室１２２の内側に位置している。図示された例において、変形可能な端部１３１ｂおよび１３２ｂには、軸Ｘに対して径方向に延在し、前記端部がより容易に変形されることを可能にする切目１３１ｃおよび１３２ｃが設けられている。しかし、切目１３１ｃおよび１３２ｃが径方向ではなくても、本発明の範囲を越えない。
【００２９】
導電性部品１３１および１３２は支持体１４０上にある。本例において、支持体１４０は電気絶縁材料で作られる。例えば、支持体１４０は熱可塑性または熱硬化性材料で作られてもよい。図示された例において、支持体１４０は、外側から本体１２０の側壁１２６における開口部１２５に係合する摺動体またはカセット構造である。図示された例において、支持体１４０は第２室１２２にある。支持体１４０は導電性部品１３１および１３２を受容し保持するガイド１４１を画定する。ガイド１４１は、ガイド１４１の定位置で導電性部品をブロックするために、導電性部品１３１および１３２のそれぞれの両側にある舌状部１３１ｄおよび１３２ｄと協働する切込み１４１ａも有する。支持体１４０は、導電性部品１３１と１３２との間に位置する空間Ｅにおいて前記支持体の内側に配置された筐体１４２も有する。図１Ａから２Ｃに示されている例において、筐体１４２は、第２室１２２内に開口し、一定である半径Ｒを示すブラインドの円形筐体状である。導電性部品１３１および１３２の端部１３１ｂおよび１３２ｂは筐体１４２に面している。
【００３０】
本例において、浮き出し部１４３は筐体１４２の底壁１４４から突出する。本例における浮き出し部１４３は、筐体１４２の深さＰ全体にわたって底壁１４４から延在している。浮き出し部１４３は、軸Ｘ上で中心を合わせた円形ボタンまたは固体ディスク状である。図示された本例において、筐体１４２の底壁１４４から遠隔である、その端部で、浮き出し部１４３は、その基部の浮き出し部１４３による半径Ｒ２未満である第１の半径Ｒ１を示す。半径Ｒ１およびＲ２は、このように両方とも、筐体において溝１４５を形成する浮き出し部１４３のまわりに環状空間を残すように、厳密に半径Ｒ未満であり、端部１３１ｂおよび１３２ｂは、浮き出し部１４３の上を延在することなく、この環状空間の上を延在している。
【００３１】
支持体１４０には、第２室１２２と反対側の面１４６上にガイドレール１４７も設けられている。ガイドレール１４７は、本体１２０、特に開口部１２５に設けられている１つまたは複数のスロット１２８と協働することによって本体１２０内への支持体１４０の挿入がガイドされることを可能とする。最後に、ブロックする浮き出し部１４８が、レール１４７上にあり、一旦本体１２０に挿入されると、定位置で支持体１４０をブロックする役目をする。
【００３２】
短絡回路装置１００は、本例において、電気絶縁材料、例えば、ポリエーテルエーテルケトン（ＰＥＥＫＧＦ４０）またはポリフェニレンスルフィド（ＰＰＳ）またはポリアミド（ＰＡ）から作られるピストン１５０も有する。以下に説明される変形例において（図３Ａおよび図３Ｂ）、ピストンは電導性材料で作られてもよい。ピストン１５０は、第２室１２２から封止された様体で第１室１２１を分離する。ピストン１５０は第１室１２１と第２室１２２との間に位置する。ピストン１５０は、第１および第２室１２１および１２２の組み合わせに対応する空洞に移動するように構成されている。ピストン１５０は本体の内側で側壁１２７に対して担持される弾性的に変形可能な材料で作られた封止ガスケット１５１を有する。側壁１２７は第１および第２室１２１および１２２を囲む。本体１２０の内側の側壁１２７は第１および第２室１２１および１２２がある内側体積を画定する。図示された例において、ピストン１５０は、ピストン１５０が短絡回路装置１００の内側に移動する際に沿う軸にも対応する、軸Ｘ上で中心が合された円筒形を示し、ピストン１５０には、第１室１２１のほうに延在する第１裾部１５２が設けられている。ピストン１５０のこの設計は小型形状の短絡回路装置１００を得るために役立つ。
【００３３】
図示された例において、ピストン１５０は第２室１２２のほうに延在する第２の裾部１５３も有する。本例において、第２の裾部１５３には、筐体１４２のほうに向かい、第２室１２２内に開口する複数のスロットまたは切込み１５３ａが設けられている。これらの切込み１５３ａは裾部１５３にある程度の可撓性を与え、それが、より容易に変形することを可能にする。本例において、裾部１５３は、浮き出し部１４３の半径Ｒ１とＲ２との間に位置する内側半径Ｒ３を示す。結果として、裾部１５３は、筐体１４２における浮き出し部１４３と協働することに適しており、モールステーパーのように前記浮き出し部１４３に係合することができる。本例において、裾部１５３は、第２の裾部１５３と本体１２０の内壁１２７との間に環状空間を残すように、厳密にピストン１５０の半径Ｒ５未満である外側半径Ｒ４も示す。
【００３４】
ピストン１５０には、ピストン１５０に締結してもよい導電性要素１５４も設けられている。例えば、導電性要素１５４は銅で作られてもよい。図示された例において、導電性要素１５４は軸Ｘ上で中心が合わせられた座金状である。図２Ａに示される構成において（すなわち、短絡回路装置１００がトリガされる前）、導電性要素１５４は、第２の裾部１５３と本体の内壁１２７との間で一方向に、および導電性部品１３１および１３２の端部１３１ｂ、１３２ｂと第２室１２２に面するピストン１５０の面１５５との間で別の方向に収容される。パイロテクニック開始器１１０がトリガされると、導電性要素１５４の機能は導電性部品１３１および１３２を電気的に共に接続することである。
【００３５】
図示されない実施形態において、第２の裾部１５３は一定である外側半径Ｒ４である必要がなく、例えば、第２室１２２の側方に位置している最も小さな外側半径を有する円錐形状であってもよい。導電性要素１５４は、例えば、分割された座金状であるように、分割されることもできる。結果として、短絡回路装置１００の組立時、導電性要素１５４は円周方向に変形することによって裾部１５３に係合してもよい。このプロビジョニングは、短絡回路装置１００がトリガされた後、導電性要素１５４と導電性部品１３１および１３２の端部との間の接触圧力をさらに増加させる役目をする。
【００３６】
次に、図１Ａから２Ｃに示される短絡回路装置１００の様々な要素を共に組み立てる例を説明する。
【００３７】
最初に、パイロテクニック開始器は、本体１２０の底部１２９を通して起爆剤１１３を挿入して、底部１２９から遠隔である本体１２０の端部に保持プラグ１１５を挿入することによって、本体１２０に嵌合される。その後、ピストン１５０は、本体１２０の底部１２９を通して、力によって挿入される。ピストン１５０は、例えば、本体１２０の内壁１２７上にある浮き出し部と協働する軸方向切込み状である位置決め浮き出し部１５６を備える。この協働は、ピストン１５０が回転することを防ぐことに役立ち、したがって、第１室１２１がパイロテクニック開始器１１０によって加圧される場合に、ピストンが軸Ｘを中心として回転することを回避する。ピストン１５０は、短絡回路装置１００の格納時および移送時に、第１の位置でピストンをブロックするように本体の内壁１２７上にあるビード１２７ａと協働する目的で、その第１の裾部１５２に円周方向の切込み１５７も有する。なお、切込み１５７およびビード１２７ａは、パイロテクニック開始器１１０がトリガされた後にピストン１５０が解放されることができるような大きさとされる。導電性部品１３１および１３２が設けられた支持体１４０は次に、走行軸Ｘに対して横方向に本体１２０の側壁１２６における開口部１２５を通して挿入される。結果として、短絡回路装置１００は、例えば、前記回路に導電性部品１３１および１３２の端部１３１ａおよび１３２ａをはんだづけすることによって、電気回路１０に接続される準備がなされる（図６）。
【００３８】
図２Ａから図２Ｃを参照して、次に、本発明の短絡回路装置１００の上述した第１の実施形態がどのように動作するかを説明する。
【００３９】
図２Ａにおいて、短絡回路装置１００は、まだトリガされておらず、第１の構成にあり、例えば、格納されている。この構成において、ピストン１５０は第１のまたは「高い」位置にある。導電性部品１３１および１３２は、それらから次には分離されている導電性要素１５４によっては共に電気的に接続されておらず、電気は導電性部品１３１と１３２との間に流れることができない。その後、パイロテクニック開始器１１０は、例えば、導電体１１２が接続されている電気回路の制御装置Ｃ（図６）によって出される電気パルスに応じて、活性化またはトリガされる。パイロテクニック開始器１１０をトリガさせることの効果は、短絡回路装置１００を、ピストン１５２が第２のまたは「低い」位置である第２の構成に変化させることである。
【００４０】
より正確には、パイロテクニック開始器１１０を作動することは、１つまたは複数の起爆剤１１３を、第１室１２１を加圧する燃焼ガスを生成するように燃焼させる役目をする（図２Ｂおよび図２Ｃの実線矢印）。このように第１室１２１を加圧することによって、ピストン１５０を導電性部品１３１および１３２のほうに移動させる。図示された例において、ピストン１５０は、短絡回路装置１００が第１の構成（図２Ａ）から第２の構成（図２Ｃ）に移行するときに、変形することなく移動するように構成されている。ピストン１５０は、第１の構成から第２の構成に移行すると、軸Ｘに沿って導電性部品１３１および１３２のほうに並進するように駆動される。特に、位置決め浮き出し部１５９が存在するので、第１の位置から第２の位置まで通過する際のピストン１５０の移動には、軸Ｘを中心として構成要素が回転することは含まれていない。
【００４１】
図２Ｂにおいて、ピストン１５０がもはや第１の位置にないが、まだ第２の位置でもない中間位置がみられる。なお、ピストン１５０は、第１室１２１において増加する圧力の影響下で降下し始めていることがわかる。ピストン１５０によって担持された導電性要素１５４は、導電性部品１３１および１３２の変形可能な端部１３１ｂおよび１３２ｂに接触し、それらを変形し始める。本例において、端部１３１ｂおよび１３２ｂの変形は、筐体１４２の底壁１４４のほうに、それらが折りたたまれることからなる。端部１３１ｂおよび１３２ｂにおける切目１３１ｃおよび１３２ｃは、このような変形を容易にする役目をする。同時に、導電性要素１５４と導電性部品１３１および１３２との間に電気的接触が確立されるので、電流Ｉがそれらの間に流れることができる。また、同時に、ピストン１５０の第２の裾部１５３は筐体１４２にある浮き出し部１４３に漸進的に接触する。言い換えると、浮き出し部１４３はピストン１５０の裾部１５３に漸進的に受容される。浮き出し部１４３および第２の裾部１５３は、このようにピストン１５０を導き、その移動を減衰する役目をする。
【００４２】
図２Ｃにおいて、ピストン１５０はその第２のまたは「最終」の位置に到達している。この位置において、２つの導電性部品１３１および１３２間の電気的接触が恒久的に確立されている。各導電性部品１３１、１３２と導電性要素１５４との間の電気的接触は、軸Ｘによって決められた方向に沿って第２の位置において生じる。変形可能な端部１３１ｂおよび１３２ｂは、ここで、筐体の底壁１４４のほうに、導電性部品１３１および１３２が延在する方向に鉛直に折りたたまれる。ピストン１５０の第２の裾部１５３は筐体１４４の溝１４５に受容される。端部１３１ｂおよび１３２ｂは、このように、筐体１４２の内壁１４９と導電性要素１５４との間にクランプ留め、またはしっかりと把持される。この位置において、変形した端部１３１ｂおよび１３２ｂは、ピストン１５０（および導電性要素１５４）上に保持力をはたらかせ、それによって、この第２の位置で、それをブロックする。端部の漸進的変形は、ピストンの運動エネルギーの一部を吸収し、バウンスの危険性を除去する役目をする。さらに、端部１３１ｂおよび１３２ｂによってはたらかされた力によって、第２の裾部１５３は、モールステーパーのように浮き出し部１４３上に係合し、それによって、第２の位置でピストン１５０をさらにしっかりと、ブロックする。
【００４３】
短絡回路装置１００の動作の上述した説明を考慮すれば、筐体１４２の半径Ｒはピストン１５０、より正確にいえば、その第２の裾部１５３、導電性要素１５４および変形した端部１３１ｂおよび１３２ｂを受容するように適合される必要があり、一方でピストン１５０および導電性要素１５４は第２の位置に有効に保持されることを可能にすることが理解できる。例えば、筐体１４２における（底壁１４４のレベルで測定された）溝１４５の幅Ｌ２（図２Ｃ）は、導電性部品１３１または１３２の厚さｅ１と、軸Ｘに鉛直方向に測定された導電性要素１５４の幅Ｌ１と、および第２の裾部１５３の厚さｅ２との合計に対して実質上、等しい、または、ごくわずかに大きくすべきである。同じことが、各端部１３１ｂ、１３２ｂが第２室１２２内に延在する長さを画定することにもあてはまり、それは、端部１３１ｂおよび１３２ｂが、一旦、折りたたまれるとその中に収容できるように、筐体１４２の深さＰ（図２Ａ）に応じて決定される必要がある。また、各端部１３１ｂおよび１３２ｂは、明白な理由で、ピストン１５０の第２の裾部１５３を越えて第２室１２２内に延在するべきではないとされる。
【００４４】
図３Ａおよび図３Ｂを参照して、次に、本発明の第２実施形態における短絡回路装置２００の説明をする。そうでないと言及されない限り、様々な実施形態間で対応する参照符号は同一の特徴を示す。
【００４５】
上述したように、短絡回路装置２００は、トリガされる前の第１の構成において図３Ａに示される。短絡回路装置１００に対比して、ピストン２５０は第２の裾部を有しておらず、概して、軸Ｘに沿って全体的に円筒形状である。本実施形態において、支持体２４０における筐体２４２は浮き出し部を有しておらず、平面である底壁２４４を備える。また、本実施形態において、導電性要素はピストン２５０と一体に形成されている。言い換えると、ピストン２５０は全体的に導電性材料から作られ、本例において、導電性要素の機能を果たす。図には明確にみられないとしても、端部２３１ｂおよび２３２ｂは、それらがより容易に変形するために、短絡回路装置１００におけるように切目を含んでもよい。
【００４６】
パイロテクニック開始器がピストン２５０を第１の位置（図３Ａ）から第２の位置（図３Ｂ）まで移行させるためにトリガされると、ピストン２５０は筐体２４２に挿入され、それによって、導電性部品２３１および２３２の端部２３１ｂおよび２３２ｂを変形させる（実質上、折りたたむ）効果があり、次に、この第２の位置でピストン２５０をブロックするように保持力をはたらかせる。端部２３１ｂおよび２３２ｂは、このように筐体２４２の内壁２４９と導電性ピストン２５０との間にクランプ留め、またはしっかりと保持される。電気が導電性部品２３１と２３２との間に流れることを可能にするように、各端部２３１ｂ、２３２ｂと導電性ピストン２５０との間に電気的接触が確立される。
【００４７】
短絡回路装置２００の上述した動作に照らして、筐体２４２の半径Ｒ（図３Ｂ）がピストン２５０および変形した端部２３１ｂおよび２３２ｂを受容するように適合される一方で、ピストン２５０が第２の位置に効果的に保持されることを可能にすることが理解できる。例えば、筐体２４２の半径Ｒは、ピストンの半径Ｒ５と、導電性部品２３１、２３２の厚さｅ１との合計に対して、実質上、等しい、またはわずかに大きい必要がある。同じことが、各端部２３１ｂ、２３２ｂが第２室２２２内に延在する長さを画定する場合にもあてはまり、その長さは、端部２３１ｂおよび２３２ｂが、一旦、折りたたまれるとその中に収容できるように、筐体の深さＰに応じて決定されなければならない。
【００４８】
なお、上述した実施形態間で異なる特徴は、本発明の範囲内で組み合わせてもよい。
【００４９】
特に、図４は、短絡回路装置１００および２００の特徴を再現する本発明の第３実施形態における短絡回路装置３００を示す。短絡回路装置３００の動作は上述した短絡回路装置１００および２００のそれと同じであり、図において対応する参照符号は同じ特徴を示す。短絡回路装置３００は、ピストン３５０がその第１の位置にある場合が示されている。短絡回路装置１００と同様、ピストン３５０は、筐体３４２の底壁３４４から突出している浮き出し部３４３に係合することができる裾部３５３を有する。さらに、短絡回路装置３００は、短絡回路装置２００のピストン２５０と同様に、導電性要素と一体的に形成されているピストン３５０を有する。言い換えると、本例において、ピストン３５０は全体的に導電性である。
【００５０】
図５は、本発明の第４の実施形態の短絡回路装置４００を示す。短絡回路装置４００の動作は上述した短絡回路装置１００、２００、および３００のそれと同じであり、図において対応する参照符号は同じ特徴を示す。本例において、短絡回路装置４００は、ピストン４５０がその第１の位置にある場合が示されている。短絡回路装置４００は、電気絶縁材料で作られているピストン４５０を有し、本例において、それは第２の裾部を有していない。短絡回路装置３００と同じように、本実施形態において、筐体４４２はその底壁４４４に浮き出し部を備えていない。ピストン４５０には、本例では第２室４２２に面するピストン４５０の面４５５に締結された座金状である導電性要素４５４が嵌合されている。
【００５１】
図６は、本発明のパイロテクニック短絡回路装置１００を使用することによって保護される電気回路１０を含む例示的設備１を示す図である。回路１０は、発電機Ｇと、発電機Ｇによって電力供給される電気装置Ｄと（電気的装置は、ある他の電気回路であってもよい）、本発明のパイロテクニック短絡回路装置１００とを含む。パイロテクニック短絡回路装置１００の第１導電性部品１３１は電気装置の第１端子１１に接続され、その第２導電性部品１３２は電気回路の接地に接続される。設備１はさらに、短絡回路装置１００を制御し所定のパラメータの変化に応じて短絡回路装置をトリガするように構成された制御装置Ｃを有してもよい。制御装置Ｃはパイロテクニック開始器１１０の導電体１１２に接続されてもよい。例えば、制御装置Ｃは、回路における電流が閾値を超えたことを検出した場合、装置Ｄにおいて温度閾値が超えられた場合、衝撃の場合等において、短絡回路装置をトリガしてもよい。したがって、短絡回路装置１００がトリガされると、装置Ｄを通って以前に流れていた電気は接地に向きを変えられる。
【００５２】
図７Ａおよび図７Ｂは、分解斜視図で示された本発明のさらに別の実施形態の短絡回路装置５００を示し、図８Ａおよび図８Ｂはそれぞれ、ピストンが第１の位置にある場合、およびそれが第２の位置にある場合を断面において示す。短絡回路装置５００の動作は、上述した短絡回路装置１００、２００、３００、および４００のそれと同じであり、図において対応する参照符号は同じ特徴を示す。本実施形態において、導電性部品５３１および５３２に面している面５５５上で、ピストン５５０は、本例において、横方向Ｔ、すなわち導電性部品５３１および５３２に対して横方向に（すなわち、本例において、導電性部品が延在する軸Ｌに対して横する方向において）延在する突出浮き出し部５５８を有する。浮き出し部５５８は、概して、長手方向平面において（すなわち、軸Ｌおよび垂直軸Ｘを含む）矩形である断面を備える。浮き出し部５５８は支持体５４０にある筐体５４２に面して延在する。本例において、浮き出し部５５８は、導電性部品５３１と５３２との間の空間Ｅに位置合わせして延在する。支持体５４０は、本体５２０の側壁５２６の開口部５２５に係合した摺動部の形をしている。図示された例において、長手方向Ｕ字形の断面を示す導電性要素５５４が浮き出し部５５８上に嵌合し、例えば、浮き出し部５５８に接着接合されている。例えば、導電性要素５５４は、導電性板に形状を与えるように折りたたむことによって得られてもよい。本例において、導電性要素５５４は、横方向Ｔに沿って測定されたピストン５５０上の浮き出し部５５８の全体的な長さにわたって延在する。導電性要素５５４は、この長さの少なくとも半分にわたって延在できる。このようにピストン５５０が第１の位置（図８Ａ、電気が短絡回路装置を通って流れることができない）から第２の位置（図８Ｂ、電気が短絡回路装置を通って流れることができる）まで移行するとき、浮き出し部５５８は導電性部品５３１と５３２との間の空間Ｅを占めるように移動し、導電性要素５５４は、変形可能な端部５３１ｂおよび５３２ｂを変形させながら導電性部品５３１および５３２を電気的に共に接続し、それによって、同様に、第２の位置でピストン５５０をブロックする効果を有する。第２の位置において、導電性要素５５４およびピストン５５０上の浮き出し部５５８は、このように、導電性部品５３１および５３２の変形可能な端部５３１ｂと５３２ｂとの間に押し込められる。浮き出し部５５８および導電性要素５５４の寸法は特に、筐体５４２および導電性部品５３１と５３２との間の空間Ｅの大きさに応じて適合されるべきである。
【００５３】
本実施形態は、特に導電性要素が嵌合式であるので、作成が簡単で安価であるという利点を提供する。導電性要素の（Ｕ字形の）形状は、短絡回路装置を製造する簡単さをさらに増加させる。
【図１Ａ】
2020502772.tif 000003
【図１Ｂ】
2020502772.tif 000004
【図２Ａ】
2020502772.tif 000005
【図２Ｂ】
2020502772.tif 000006
【図２Ｃ】
2020502772.tif 000007
【図３Ａ】
2020502772.tif 000008
【図３Ｂ】
2020502772.tif 000009
【図４】
2020502772.tif 000010
【図５】
2020502772.tif 000011
【図６】
2020502772.tif 000012
【図７Ａ】
2020502772.tif 000013
【図７Ｂ】
2020502772.tif 000014
【図８Ａ】
2020502772.tif 000015
【図８Ｂ】
2020502772.tif 000016
【国際調査報告】
2020502772.tif 000017
2020502772.tif 000018
2020502772.tif 000019
2020502772.tif 000020